(57)【要約】      （修正有）【課題】使用しない時はコンパクトな折り畳み形態を保持できる持ち運びに便利な買物バッグを提供する。【解決手段】底面部２と、底面部を囲む四面の側面部３をもち、上面の開口部４を物品の出し入れ口とし、側面部に提げ部５を取り付けたバッグである。側面部及び提げ部を折り畳み可能な柔らか材質で形成し、底面部２を二つの底面部分２Ａ，２Ｂが折り畳み連結部６を介して折り重ね態様に折り畳み可能に形成し、二つの底面部分をそれぞれの面形状が維持可能な硬めの底面部分に形成し、二つの底面部分２Ａ，２Ｂの折り畳み連結部側を除いたそれぞれの三方の周辺部に折り重ね状態で閉じることができる開閉用スライドファスナー７を装着した。底面部２の外側面側に折り畳み連結部に沿って延びる持ち運び用手提げ部を取付けた。【選択図】図１
0003183969.tif 000002
【実用新案登録請求の範囲】
【請求項１】
略方形の底面部と、この底面部を囲む四面の側面部をもち、上面の開口部を物品の出し入れ口とし、前記側面部に手提げ又は肩掛け用の提げ部を取り付けたバッグであって、前記側面部及び提げ部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分にそれぞれ形成され、この二つの底面部分の折り畳み連結部側を除いたそれぞれの三方の周辺部にこの互いの三方の周辺部を折り重ね状態で閉じることができる開閉用スライドファスナーを装着したことを特徴とする買物バッグ。
【請求項２】
略方形の底面部と、この底面部を囲む四面の側面部をもち、上面の開口部を物品の出し入れ口とし、前記側面部に手提げ又は肩掛け用の提げ部を取り付けたバッグであって、前記底面部をレジカゴ内の矩形底部の広さ及び形状と略同じかやや小さめに形成し、前記側面部の縦幅をレジカゴ内の側部縦幅と同等かやや長めに形成し、前記開口部の開口広さを前記底面部の広さより広く形成し、前記側面部及び提げ部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分にそれぞれ形成され、この二つの底面部分の折り畳み連結部側を除いたそれぞれの三方の周辺部にこの互いの三方の周辺部を折り重ね状態で閉じることができる開閉用スライドファスナーを装着したことを特徴とする買物バッグ。
【請求項３】
前記開口部の内周縁部にこの開口部を開閉可能に被う巾着部を装着し、この巾着部を折り畳み可能な柔らか材質で形成した請求項１又は２に記載の買物バッグ。
【請求項４】
前記底面部の内側面、前記側面部の内側面を折り畳み可能な柔らか材質の保冷シート材で形成した請求項１又は２に記載の買物バッグ。
【請求項５】
前記底面部の外側面側に前記折り畳み連結部の折り畳み線に沿って延びる帯状部材の持ち運び用手提げ部を取付け、この持ち運び用手提げ部は帯状部材の両端部を前記折り畳み連結部の両端部にそれぞれ止着して取付けた請求項１又は２に記載の買物バッグ。
【考案の詳細な説明】
【技術分野】
【０００１】
本考案は、スーパーマーケット等でたくさんの買物をする場合に使用するのに好適な比較的大きな収納空間をもつ買物バッグであり、買物バッグとして使用しない時はコンパクトな折り畳み形態に保持できる買物バッグに関する。
【背景技術】
【０００２】
スーパーマーケット等に置かれたレジカゴを用いた買物に使用するのに好適な買物バッグとして、本出願人は特許文献１に記載の買物バッグを提案してある。この買物バッグは、底面部と、一対の胴面部と、この一対の胴面部の開度を調整しえるマチ部とから成り、胴面部とマチ部の上端部によって開口部を形成し、一対の胴面部の対向側縁部にスライドファスナーを設けたバッグであり、このスライドファスナーの全開状態ではレジカゴ内に開口部を拡開させた状態に装着可能に構成し、スライドファスナーの全閉状態ではバッグを密閉状態に構成したことを特徴とし、さらに、開口部を被覆する巾着部を設け、底面部及び胴面部の内面に保冷シートを張設したことを特徴としている。
【０００３】
しかし、特許文献１の買物バッグは、買物バッグとして使用しない時にコンパクトな形態に折り畳みし難い構造であり、しかもコンパクトな折り畳み形態を保持できない構造であった。このため、買物バッグとして使用しない時に持ち運びするのが困難であり、不便であった。
【先行技術文献】
【特許文献】
【０００４】
【特許文献１】実用新案登録第３１３７４７１号公報
【考案の概要】
【考案が解決しようとする課題】
【０００５】
本考案は、スーパーマーケット等でたくさんの買物をする場合に使用するのに好適な比較的大きな収納空間をもつ買物バッグであり、主にスーパーマーケット等に置かれたレジカゴを用いた買物に使用するのに好適な買物バッグを提供するものであり、特に買物バッグとして使用しない時はコンパクトな折り畳み形態に簡単且つ確実に折り畳むことができ、このコンパクトな折り畳み形態を保持できる、持ち運びに便利な買物バッグを提供することを解決課題とする。
【課題を解決するための手段】
【０００６】
かかる課題を解決するため、本考案は、略方形の底面部と、この底面部を囲む四面の側面部をもち、上面の開口部を物品の出し入れ口とし、前記側面部に手提げ又は肩掛け用の提げ部を取り付けたバッグであって、前記側面部及び提げ部を前記底面部の内側面の範囲内に納めて折り畳み可能な柔らか材質で形成し、前記底面部を中心線に沿って延びる折り畳み連結部を介して二つの略対称形状の底面部分に区分け形成し、この二つの底面部分が前記折り畳み連結部を介して互いの内側面を折り重ね態様に折り畳み可能に形成され、この二つの底面部分がそれぞれの面形状を維持可能な硬めの底面部分にそれぞれ形成され、この二つの底面部分の折り畳み連結部側を除いたそれぞれの三方の周辺部にこの互いの三方の周辺部を折り重ね状態で閉じることができる開閉用スライドファスナーを装着したことを特徴とする買物バッグを提供する。
【０００７】
本考案の買物バッグは、買物バッグとして使用しない時は、開閉用スライドファスナーを全開して平面形状に開いた底面部の内側面の範囲内に納まるように側面部及び提げ部を折り畳み、それぞれの面形状を維持可能な硬めの底面部分にそれぞれ形成された二つの底面部分の間に折り畳まれた側面部及び提げ部が納められた状態に折り畳み連結部を介して二つの底面部分を折り重ね、この折り重ね状態で開閉用スライドファスナーを閉じれば、二つの底面部分の外側面を表にして形成された扁平状の小バッグ内に買物バッグの全体をコンパクトな折り畳み形態に納めて保持できる。よって、買物バッグとして使用しない時には、コンパクトな折り畳み形態を保持した状態で持ち運びでき便利である。
【０００８】
しかも、本考案の買物バックは、二つの底面部分がそれぞれの面形状を維持可能な硬めの底面部分にそれぞれ形成されているため、買物バッグとして使用する時は、買物した重たい商品も安定した詰め状態でバッグ内に収納できる。
【０００９】
また、本考案の買物バッグは、前記底面部をレジカゴ内の矩形底部の広さ及び形状と略同じかやや小さめに形成し、前記側面部の縦幅をレジカゴ内の側部縦幅と同等かやや長めに形成し、前記開口部の開口広さを前記底面部の広さより広く形成し、買物をする際にレジカゴ内に買物バッグの出し入れ口を開口させた状態にセットできるようにしてあり、レジカゴ内に出し入れ口を開口させた状態にセットした買物バッグ内に買物した商品を詰めかえできるようにしてある。
【００１０】
また、本考案の買物バッグは、前記開口部の内周縁部にこの開口部を開閉可能に被う巾着部を装着し、この巾着部を折り畳み可能な柔らか材質で形成してある。
【００１１】
また、本考案の買物バッグは、前記底面部の内側面、前記側面部の内側面を折り畳み可能な柔らか材質の保冷シート材で形成してある。
【００１２】
さらに、本考案の買物バッグは、前記底面部の外側面側に前記折り畳み連結部の折り畳み線に沿って延びる帯状部材の持ち運び用手提げ部を取付け、この持ち運び用手提げ部は帯状部材の両端部を前記折り畳み連結部の両端部にそれぞれ止着して取付けてある。この買物バッグによれば、買物バッグとして使用しない時に、買物バッグをコンパクトな折り畳み形態に納めて保持した扁平状の小バッグを前記持ち運び用手提げ部を介して手に提げて持ち運びでき、持ち運びするのに便利である。
【考案の効果】
【００１３】
本考案の買物バッグによれば、買物バッグとして使用しない時には、開閉用スライドファスナーを全開して平面形状に開いた底面部の内側面の範囲内に納まるように側面部及び提げ部を折り畳み、それぞれの面形状を維持可能な硬めの底面部分にそれぞれ形成された二つの底面部分の間に折り畳まれた側面部及び提げ部が納められた状態に折り畳み連結部を介して二つの底面部分を折り重ね、この折り重ね状態で開閉用スライドファスナーを閉じれば、二つの底面部分の外側面を表にして形成された扁平状の小バッグ内に買物バッグの全体をコンパクトな折り畳み形態に納めて保持できる。よって、買物バッグとして使用しない時には、コンパクトな折り畳み形態を保持した状態で持ち運びでき便利である。
【図面の簡単な説明】
【００１４】
【図１】買物バッグとしての使用態様を一部切り欠いて示した斜面図である。
【図２】買物バッグとして使用しない時の折り畳み手順を示した斜面図である。
【考案を実施するための形態】
【００１５】
本考案に係わる買物バッグの実施形態を図面に基づき説明する。図１に示したように、本考案の買物バッグ１は、略方形（略長方形）の底面部２と、この底面部２を囲む四面の側面部３をもち、上面の開口部４を物品の出し入れ口とし、前記側面部３の対向部に手提げ又は肩掛け用の帯状の提げ部５をそれぞれ取り付けたバッグであって、前記側面部３及び提げ部５を前記底面部２の内側面の範囲内に納めて折り畳み可能なポリエステル繊維などの柔らか材質で形成し、前記底面部２を中心線に沿って延びる折り畳み連結部６を介して二つの略対称形状の略方形の底面部分２Ａ，２Ｂに区分け形成し、この二つの底面部分２Ａ，２Ｂが前記折り畳み連結部６を介して互いの内側面を折り重ね態様に折り畳み可能に形成され、この二つの底面部分２Ａ，２Ｂがそれぞれの面形状を維持可能な硬めの底面部分にそれぞれ形成され、この二つの底面部分２Ａ，２Ｂの折り畳み連結部６側を除いたそれぞれの三方の周辺部にこの互いの三方の周辺部を折り重ね状態で閉じることができる開閉用スライドファスナー７を装着したことを特徴としている。
【００１６】
二つの底面部分２Ａ，２Ｂは、柔らかな材質の内面シート材（保冷シート材）とポリエステル繊維などの外面シート材の間に各底面部分と略同形な可撓性を有する厚めの板紙などの板状芯材８（図１に破線で示した。）を入れ周囲を縫着してあり、この板状芯材８によってそれぞれの面形状を維持可能な硬めの底面部分にそれぞれ形成してある。二つの板状芯材８の間の内外面のシート材の部分は、縫着線によって区分けされ、折り畳み自在な折り畳み連結部６として形成してある。
【００１７】
図１に示した買物バッグ１は、前記底面部２をレジカゴＫ（図１に一点鎖線で概略構成を示した。このレジカゴは、スーパーマーケット等に置かれたものを指し、底部を略長方形の矩形とし、上部を矩形枠で開口したものを概略的に示し、煩雑さを避けるため側部の格子部を省略して示している。）内の矩形底部の広さ及び形状と略同じかやや小さめに形成し、前記側面部３の縦幅をレジカゴＫ内の側部縦幅よりやや長めに形成し、前記開口部４の開口広さを前記底面部２の広さより広く形成してある。よって、この買物バッグは、図１に示したように、買物をする際にレジカゴＫ内に本考案の買物バッグの開口部４（出し入れ口）を開口させた状態にセットできる。レジカゴ内に開口部４（出し入れ口）を開口させた状態にセットした買物バッグ内に買物した商品を詰めかえできる。
【００１８】
前記開口部４の内周縁部にこの開口部を開閉可能に被う巾着部１０を装着し、この巾着部１０を折り畳み可能な柔らか材質で形成してある。この巾着部１０は、被いシート材の自由端側に巾着開口部を有し、この巾着開口部の周縁部に紐通し部を形成し、この紐通し部に縛り紐を挿通してある。この縛り紐で巾着開口部を締め付けて閉じ、縛り紐を緩めて巾着開口部を全開できるように構成してある。前記巾着部１０の被いシート材は柔らかな生地シートで形成し、好ましくは柔らかな抗菌及び防臭生地シートで形成している。
【００１９】
前記底面部２の内側面（内面シート材）、前記側面部３の内側面（内面シート材）を折り畳み可能な柔らか材質の保冷シート材で形成してある。
【００２０】
本考案の買物バッグは、買物バッグとして使用しない時は、図２の（Ａ）（Ｂ）に示したように、開閉用スライドファスナー７を全開して平面形状に開いた底面部２の内側面の範囲内に納まるように側面部３及び提げ部５を折り畳み、図２（Ｂ）の矢印に示したように、それぞれの面形状を維持可能な硬めの底面部分にそれぞれ形成された二つの底面部分２Ａ，２Ｂの間に折り畳まれた側面部３及び提げ部５が納められた状態に折り畳み連結部６を介して二つの底面部分２Ａ，２Ｂを折り重ね、図２の（Ｃ）に示したように、この折り重ね状態でスライダー部７ａをスライド移動させて開閉用スライドファスナー７を閉じれば、二つの底面部分２Ａ，２Ｂの外側面を表にして形成された扁平状の小バッグ内に買物バッグの全体をコンパクトな折り畳み形態に納めて保持できる。よって、買物バッグとして使用しない時には、コンパクトな折り畳み形態を保持した状態で持ち運びでき便利である。
【００２１】
さらに、図２の（Ｃ）に示したように、前記底面部２の外側面側に前記折り畳み連結部６の折り畳み線に沿って延びるポリエステル繊維などの帯状部材の持ち運び用手提げ部１２を取付け、この持ち運び用手提げ部１２は帯状部材の両端部を前記折り畳み連結部６の両端部にそれぞれ縫着して取付けてある。この持ち運び用手提げ部１２を取付けたことによって、買物バッグとして使用しない時に、買物バッグをコンパクトな折り畳み形態に納めて保持した扁平状の小バッグを持ち運び用手提げ部１２を介して手に提げて持ち運びでき、持ち運びするのにさらに便利である。
【符号の説明】
【００２２】
１  買物バッグ
２  底面部
２Ａ，２Ｂ  底面部分
３  側面部
４  開口部（出し入れ口）
５  提げ部
６  折り畳み連結部
７  開閉用スライドファスナー
８  板状芯材
１０  巾着部
１２  持ち運び用手提げ部
Ｋ  レジカゴ
【図１】
0003183969.tif 000003
【図２】
0003183969.tif 000004